(57)【要約】      （修正有）【課題】吸音効果を高めることができる吸音パネルおよび吸音パネルの製造方法を提供する。【解決手段】吸音パネル１００は、本体内部に複数の空洞部２１０，２２０，２３０が形成される。空洞部２１０，２２０，２３０は、それぞれ体積が異なる。そして、空洞部２１０，２２０，２３０から本体の一面側にのみスリット３１０，３２０が連通される。また、複数のスリット３１０，３２０は、それぞれ異なる幅を有する。空洞部２１０，２２０，２３０の体積とスリット３１０，３２０の幅との組合せは、複数形成される。【選択図】図１
2015169050.tif 000002
【特許請求の範囲】
【請求項１】
長手方向を有する吸音パネルであって、
本体内部に複数形成され、かつ体積が異なる空洞部と、
前記空洞部から前記本体の一面側にのみ連通するスリットと、を含み、
前記スリットは、異なる幅を有し、
前記空洞部の体積と前記スリットの幅との組合せが複数形成される、吸音パネル。
【請求項２】
前記空洞部は、前記長手方向に沿って体積が変化する、請求項１記載の吸音パネル。
【請求項３】
前記スリットは、前記長手方向に沿って幅が変化する、請求項１または２記載の吸音パネル。
【請求項４】
長手方向を有する吸音パネルであって、
本体内部に形成される空洞部と、
前記空洞部から前記本体の一面側にのみ連通するスリットと、を含み、
前記空洞部は、前記長手方向に沿って体積が変化する、吸音パネル。
【請求項５】
前記スリットは、前記長手方向に沿って幅が変化する、請求項４記載の吸音パネル。
【請求項６】
前記空洞部は、複数形成され、かつ体積が異なり、
前記スリットは、異なる幅を有し、
前記空洞部の体積と前記スリットの幅との組合せが複数形成される、請求項４または５記載の吸音パネル。
【請求項７】
長手方向を有する吸音パネルであって、
本体内部に形成される空洞部と、
前記空洞部から前記本体の一面側にのみ連通するスリットと、を含み、
前記スリットは、前記長手方向に沿って幅が変化する、吸音パネル。
【請求項８】
前記空洞部は、前記長手方向に沿って体積が変化する、請求項７記載の吸音パネル。
【請求項９】
前記空洞部は、複数形成され、かつ体積が異なり、
前記スリットは、異なる幅を有し、
前記空洞部の体積と前記スリットの幅との組合せが複数形成される、請求項７または８記載の吸音パネル。
【請求項１０】
前記本体は、発泡材料からなる請求項１乃至９記載の吸音パネル。
【請求項１１】
前記本体の比重が１．８以上となる混合樹脂を用いる、請求項１乃至１０のいずれか１項に記載の吸音パネル。
【請求項１２】
前記スリットの開口部と異なる面に、前記本体とは異なる樹脂層を設けた、請求項１乃至１１のいずれか１項に記載の吸音パネル。
【請求項１３】
前記複数の空洞部のうち少なくとも１の空洞部は、複数の空間に仕切られた、請求項１乃至１２のいずれか１項に記載の吸音パネル。
【請求項１４】
前記複数の空間は、隣接する相互の空間の連通スリットを有し、対向するスリット位置が異なる、請求項１乃至１３のいずれか１項に記載の吸音パネル。
【請求項１５】
請求項１乃至請求項１４のいずれか１項に記載の吸音パネルの製造方法であって、
空洞部およびスリットを有する本体を形成する高分子材料の押出工程を含む、吸音パネルの製造方法。
【請求項１６】
前記押出工程は、
前記空洞部の体積および前記スリットの幅を変化させるコア移動工程を含む、請求項１５記載の吸音パネルの製造方法。
【発明の詳細な説明】
【技術分野】
【０００１】
本発明は、防音のための吸音パネルおよび吸音パネルの製造方法に関する。
【背景技術】
【０００２】
従来から防音を目的として種々の研究開発が行われている。例えば、特許文献１（特開平６-１２９０２９号公報）には、新幹線、高速道路などの防音対策として用いられ、吸音を必要とする周波数幅（帯域）に対応した複数の共鳴室を有し、耐候性、耐久性に優れ、かつ品質が均一でしかも施工性に優れ、また優れた吸音効率と遮音性能を合わせもった共鳴型吸音・遮音パネルについて開示されている。
【０００３】
特許文献１（特開平６-１２９０２９号公報）記載の遮音パネルは、底面壁部と、この底面壁部と相対向して配置された表面壁部と、これら底面壁部と表面壁部間にその面方向に所定間隔をおいて配置された複数の仕切壁部とにより吸音目標周波数に合わせた２種類以上の異なる断面積の共鳴室を複数形成し、これら各共鳴室と外部とを連通する吸音孔を表面壁部に形成してなる共鳴型吸音・遮音パネルにおいて、前記共鳴室が同じ断面積のものが隣り合わないように配列され、かつ前記表面壁部に吸音孔の深さを延長するためのリップ状の突出部が設けられているものである。
【先行技術文献】
【特許文献】
【０００４】
【特許文献１】特開平６−１２９０２９号公報
【発明の概要】
【発明が解決しようとする課題】
【０００５】
上記のように、吸音すべき音は、複数周波数においてピークがある、または広域周波数を有する場合が多い。また、特許文献１記載の共鳴型吸音・遮音パネルは、長手方向断面に複数の大きさの空洞を有することで、吸音周波数を複数所有することができるというメリットがある。
【０００６】
しかしながら、特許文献１記載の共鳴型吸音・遮音パネルでは、断面形状内に複数の大きさの空洞を持たせることは数に限界があり、吸音できる周波数の数にも限界がある。
【０００７】
本発明の目的は、吸音効果を高めることができる吸音パネルおよび吸音パネルの製造方法を提供することである。
本発明の他の目的は、制振、断熱および遮音効果を高めることができる吸音パネルおよび吸音パネルの製造方法を提供することである。
【課題を解決するための手段】
【０００８】
（１）
一局面に従う吸音パネルは、長手方向を有する吸音パネルであって、本体内部に複数形成され、かつ体積が異なる空洞部と、空洞部から本体の一面側にのみ連通するスリットと、を含み、スリットは、異なる幅を有し、空洞部の体積とスリットの幅との組合せが複数形成されるものである。
【０００９】
本発明にかかる吸音パネルは、本体内部に複数の空洞部が形成される。空洞部は、それぞれ体積が異なる。そして、空洞部から本体の一面側にのみスリットが連通される。また、複数のスリットは、それぞれ異なる幅を有する。空洞部の体積とスリットの幅との組合せが、複数形成される。
【００１０】
その結果、空洞部の体積が異なるため、吸音可能な周波数帯域を広くすることができる。また、スリット幅も多数存在し、空洞部とスリットとの組合せが複数形成されるので、さらに吸音可能な周波数帯域を広くすることができる。したがって、吸音効果を高めることができる。
【００１１】
（２）
第２の発明にかかる吸音パネルは、一局面に従う吸音パネルにおいて、空洞部は、長手方向に沿って体積が変化してもよい。
【００１２】
この場合、空洞部が長手方向に沿って体積が変化するので、吸音可能な周波数帯域をさらに広げることができる。
【００１３】
（３）
第３の発明にかかる吸音パネルは、一局面または第２の発明にかかる吸音パネルにおいて、スリットは、長手方向に沿って幅が変化してもよい。
【００１４】
この場合、スリットが、長手方向に沿って幅が変化するので、吸音可能な周波数帯域をさらに広げることができる。
【００１５】
（４）
他の局面に従う吸音パネルは、長手方向を有する吸音パネルであって、本体内部に形成される空洞部と、空洞部から本体の一面側にのみ連通するスリットと、を含み、空洞部は、長手方向に沿って体積が変化するものである。
【００１６】
本発明にかかる吸音パネルは、本体内部に空洞部が形成される。そして、空洞部から本体の一面側にのみスリットが連通される。また、空洞部は、長手方向に沿って体積が変化する。
【００１７】
その結果、空洞部の体積が長手方向に沿って変化するため、吸音可能な周波数帯域を広くすることができる。したがって、吸音効果を高めることができる。
【００１８】
（５）
第５の発明にかかる吸音パネルは、他の局面にかかる吸音パネルにおいて、スリットは、長手方向に沿って幅が変化してもよい。
【００１９】
この場合、スリットが、長手方向に沿って幅が変化するので、吸音可能な周波数帯域をさらに広げることができる。
【００２０】
（６）
第６の発明にかかる吸音パネルは、他の局面または第５の発明にかかる吸音パネルにおいて、空洞部は、複数形成され、かつ体積が異なり、スリットは、異なる幅を有し、空洞部の体積とスリットの幅との組合せが複数存在してもよい。
【００２１】
この場合、空洞部が複数形成され、かつ体積が異なり、スリットは異なる幅を有し、空洞部の体積とスリットの幅との組合せが複数形成されるので、さらに吸音可能な周波数帯域を広くすることができる。したがって、吸音効果を高めることができる。
【００２２】
（７）
さらに他の局面に従う吸音パネルは、長手方向を有する吸音パネルであって、本体内部に形成される空洞部と、空洞部から本体の一面側にのみ連通するスリットと、を含み、スリットは、長手方向に沿って幅が変化するものである。
【００２３】
本発明にかかる吸音パネルは、本体内部に空洞部が形成される。そして、空洞部から本体の一面側にのみスリットが連通される。また、スリットは、長手方向に沿って幅が変化する。
【００２４】
その結果、スリットの幅が長手方向に沿って変化するため、吸音可能な周波数帯域を広くすることができる。したがって、吸音効果を高めることができる。
【００２５】
（８）
第８の発明にかかる吸音パネルは、さらに他の局面に従う吸音パネルにおいて、空洞部は、長手方向に沿って体積が変化してもよい。
【００２６】
この場合、空洞部が長手方向に沿って体積が変化するので、吸音可能な周波数帯域をさらに広げることができる。
【００２７】
（９）
第９の発明にかかる吸音パネルは、さらに他の局面または第８の発明にかかる吸音パネルにおいて、空洞部は、複数形成され、かつ体積が異なり、スリットは、異なる幅を有し、空洞部の体積とスリットの幅との組合せが複数存在してもよい。
【００２８】
この場合、空洞部が複数形成され、かつ体積が異なり、スリットは異なる幅を有し、空洞部の体積とスリットの幅との組合せが複数形成されるので、さらに吸音可能な周波数帯域を広くすることができる。したがって、吸音効果を高めることができる。
【００２９】
（１０）
第１０の発明にかかる吸音パネルは、一局面乃至第９の発明にかかる吸音パネルにおいて、本体は発泡材料からなってもよい。
【００３０】
この場合、本体は、発泡材料からなるので、吸音効果のみならず、断熱効果を得ることができる。
【００３１】
（１１）
第１１の発明にかかる吸音パネルは、一局面乃至第１０の発明にかかる吸音パネルにおいて、本体の比重が１．８以上となる混合樹脂を用いてもよい。
【００３２】
この場合、本体の比重が１．８以上からなるので、重量則に基づいて、遮音性能を高めることができる。
【００３３】
（１２）
第１２の発明にかかる吸音パネルは、一局面乃至第１１の発明にかかる吸音パネルにおいて、スリットの開口部と異なる面に、本体とは異なる樹脂層を設けてもよい。
【００３４】
異なる樹脂層は、多層押出成形により設けることが望ましい。この場合、異なる樹脂として、塩素化ポリエチレン等の制振材料を用いることにより、制振効果もあわせて得ることができる。
【００３５】
（１３）
第１３の発明にかかる吸音パネルは、一局面乃至第１２の発明のいずれかにかかる吸音パネルにおいて、複数の空洞部のうち少なくとも１の空洞部は、複数の空間に仕切られてもよい。
【００３６】
この場合、空洞部は、複数の空間に仕切られている。したがって、閉じられた空間を形成でき、対流抑制効果により、断熱効果を得ることができる。なお、対流抑制のためには、空洞の厚みは、６ｍｍ以下であることが好ましい。
【００３７】
（１４）
第１４の発明にかかる吸音パネルは、一局面乃至第１３の発明のいずれかにかかる吸音パネルにおいて、複数の空間は、隣接する相互の空間の連通スリットを有し、対向するスリット位置が異なってもよい。
【００３８】
この場合、複数の空間は、隣接する相互の空間の連通スリットを有し、対向するスリット位置が異なるため、空間内でさらに共鳴型吸音効果を高めることができ、さらに空間体積が異なる場合には、吸音周波数を広げる効果があるため、吸音する周波数帯域を広げることができる。
【００３９】
（１５）
他の局面に従う吸音パネルの製造方法は、請求項１乃至請求項１４のいずれか１項に記載の吸音パネルの製造方法であって、空洞部およびスリットを有する本体を形成する高分子材料の押出工程を含むものである。
【００４０】
この場合、高分子材料の押出工程により吸音パネルを形成することができるため、大量に低コストで製造することができる。
【００４１】
（１６）
第１６の発明にかかる吸音パネルの製造方法は、他の局面に従う吸音パネルの製造方法において、押出工程は、空洞部の体積およびスリットの幅を変化させるコア移動工程を含んでもよい。
【００４２】
この場合、コア移動工程により空洞部の体積およびスリット幅を変化させることができる。その結果、周波数帯域を広げることができる。
【図面の簡単な説明】
【００４３】
【図１】本実施の形態にかかる吸音パネルの一部を示す模式的斜視図である。
【図２】吸音パネルの他の例を示す模式的斜視図である。
【図３】吸音パネルのさらに他の例を示す模式的斜視図である。
【図４】図３の吸音パネルの断面の一例を示す模式断面図である。
【図５】図４の吸音パネルの断面のさらに他の一例を示す模式断面図である。
【図６】吸音パネルのさらに他の例を示す模式的斜視図である。
【図７】吸音パネルの製造工程の一例を示す模式図である。
【発明を実施するための形態】
【００４４】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００４５】
（吸音パネル）
図１は、本実施の形態にかかる吸音パネル１００の一部を示す模式的斜視図である。
【００４６】
図１に示すように、吸音パネル１００は、長手方向（図中ｚ方向）を有する本体部１１０からなる。本体部１１０は、高分子材料からなる。高分子材料は、例えば、塩化ビニル、ポリエチレン（ＰＥ）、ポリプロピレン（ＰＰ）等であれば、低コストで実現することができる。
本体部１１０の内部には、第１空洞部２１０、第２空洞部２２０、第３空洞部２３０がそれぞれ２個ずつ形成される。
【００４７】
第１空洞部２１０は、ｘｙ平面における断面積が第２空洞部２２０および第３空洞部２３０の断面積よりも大きく、第２空洞部２２０は、ｘｙ平面における断面積が第３空洞部２３０の断面積よりも大きく形成される。
【００４８】
図１に示す２個のうち一方の第１空洞部２１０には、本体部１１０の面１２０とを接続する第１スリット３１０が形成され、他方の第１空洞部２１０には、本体部１１０の面１２０とを接続する第２スリット３２０が形成される。
【００４９】
また、２個のうち一方の第２空洞部２２０には、本体部１１０の面１２０とを接続する第１スリット３１０が形成され、他方の第２空洞部２２０には、本体部１１０の面１２０とを接続する第２スリット３２０が形成される。
【００５０】
また、２個のうち一方の第３空洞部２３０には、本体部１１０の面１２０とを接続する第１スリット３１０が形成され、他方の第３空洞部２３０には、本体部１１０の面１２０とを接続する第２スリット３２０が形成される。
【００５１】
第１スリット３１０のｘ方向の幅は、第２スリット３２０のｘ方向の幅より大きく形成されている。
【００５２】
以上のように、図１に示す吸音パネル１００は、第１空洞部２１０、第２空洞部２２０、第３空洞部２３０および第１スリット３１０、第２スリット３２０のそれぞれ６組の組合せからなる。
【００５３】
（吸音パネルの他の例）
図２は、吸音パネル１００の他の例を示す模式的斜視図である。
【００５４】
図２に示すように、吸音パネル１００ａは、本体部１１０に対して、空洞部２４０および第３スリット３３０が形成される。
【００５５】
空洞部２４０は、ｘｙ平面における断面積が、ｚ方向に移動するにつれて、変化するように形成されている。特に、空洞部２４０の下面２４１が湾曲して形成されている。
【００５６】
また、第３スリット３３０は、ｘ方向の幅が、ｚ方向に移動するにつれて、変化するように形成されている。
【００５７】
なお、図２に示す吸音パネル１００ａは、空洞部２４０が一つである場合について説明したが、これに限定されず、多数の空洞部を設けてもよい。
さらに、空洞部２４０の下面２４１が湾曲して変化する場合について説明したが、これに限定されず、下面２４１と対向配置される上面が湾曲してもよく、Ｘ方向の壁面が湾曲して形成されてもよい。
【００５８】
（吸音パネルの他の例）
次いで、図３は、吸音パネル１００のさらに他の例を示す模式的斜視図であり、図４は、図３の吸音パネル１００ｂの断面の一例を示す模式断面図であり、図５は図４の吸音パネル１００ｂの断面のさらに他の一例を示す模式断面図である。
【００５９】
図３に示すように、吸音パネル１００ｂは、本体部１１０の外観にスリット３４０を有する。図４に示すように、吸音パネル１００ｂは、空洞部２５０，〜，空洞部２９０および連通口４１０，〜，連通口４４０を含む。
【００６０】
図４に示すように、スリット３４０により本体部１１０の外部と空洞部２５０とが連通され、空洞部２５０と空洞部２６０とが連通口４１０により連通され、空洞部２６０と空洞部２７０とが連通口４２０により連通され、空洞部２７０と空洞部２８０とが連通口４３０により連通され、空洞部２８０と空洞部２９０とが連通口４４０により連通される。
【００６１】
また、対向する仕切りの連通口４１０と連通口４２０、連通口４２０と連通口４３０、連通口４３０と連通口４４０とは、互いに異なる位置に形成される。
【００６２】
また、図５に示すように、空洞部２５０，〜，空洞部２９０のｙ方向長さが個々に異なっていてもよい。さらに、図３の吸音パネル１００ｂのｚ方向に移動するにつれて、図４から図５に断面が変化するように形成されてもよい。
【００６３】
さらに、図５においては、ｙ方向の長さが変化することとしているが、これに限定されず、ｘ方向の長さを変化させてもよい。
【００６４】
また、図４および図５の空洞部２６０，〜，空洞部２９０のｙ方向の空間幅（空洞厚み）は、６ｍｍ以下であることが好ましい。その結果、空気の対流が抑制され、吸音パネル１００ｂの吸音性能のみならず、対流抑制効果を奏することができるので、断熱性能を奏することができる。なお、空洞部２５０も６ｍｍ以下であってもよい。
【００６５】
さらに、図４および図５においては、連通口４１０，〜，連通口４４０をそれぞれ１個ずつ設けることとしているが、これに限定されず、複数設けてもよい。
【００６６】
（吸音パネルの他の例）
続いて、図６は、吸音パネル１００のさらに他の例を示す模式的斜視図である。
【００６７】
図６に示すように、吸音パネル１００ｃは、図１に示した吸音パネル１００の開口部の一部を部材５２０により覆い隠したものである。
覆い隠すための部材５２０は壁紙、樹脂、他の板、シート等を用いてもよい。その結果、スリット３１０，〜，３４０を目立たせなくすることができる。特に室内側にスリット３１０，〜，３４０を配置する場合、スリット３１０，〜，３４０の一部を隠すことができる。覆い隠すための部材５２０は、図６のように複数に分断されていてもよく、多孔の１枚ものでもよい。なお、最良の部材５２０は、小さな多孔を有する壁紙が望ましい。
なお、部材５２０で、覆い隠す方法（接合方法）は、接着、ビス、くぎなど、任意の手法をもちいることができる。
【００６８】
また、図６の部材５２０を設けた部分の逆側に、塩素化ポリエチレンの薄層（積水化学工業株式会社製カルムーン）部材を設けてもよい。この場合、吸音パネル１００ｃの吸音性能のみならず、制振性能をも奏することができる。
【００６９】
（吸音パネルの製造工程）
図７は、吸音パネル１００の製造工程の一例を示す模式図である。
【００７０】
図７に示すように、吸音パネル１００の製造装置９００は、材料投入部を含む押出成形機９１０、押出金型９２０からなる。また、押出金型９２０は、吐出量変化用のコア移動部９３０を含む。
【００７１】
コア移動部９３０は、ダイリップのダイ内縁とコア外縁とにテーパ差を持たせることにより、コアを上下動させて、ダイリップの間隙を変化させることができる。その結果、吐出量を変化させることができる。
【００７２】
材料投入部を含む押出成形機９１０に汎用樹脂であるポリエチレン、塩化ビニル等の任意の高分子材料を用いて吸音パネル１００の本体部１１０を形成してもよい。
【００７３】
また、具体的に、材料投入部を含む押出成形機９１０に塩化ビニルおよび炭酸ガスを投入した場合、樹脂発泡体により本体部１１０を形成することができる。この場合、熱伝導率は０．０９Ｗ／ｍＫであり、吸音パネル１００の吸音性能のみならず、断熱性能をも奏することができる。
【００７４】
また、具体的に、材料投入部を含む押出成形機９１０に塩化ビニルおよびフライアッシュを混合した材料を投入した場合、成形後の比重は１．９であり、重量則にのっとり、吸音パネル１００の吸音性能のみならず、遮音性能をも奏することができる。
【００７５】
以上のように、本発明にかかる吸音パネル１００，１００ａ，〜，１００ｃは、空洞部２１０，〜，２３０の体積が異なるため、吸音可能な周波数帯域を広くすることができる。また、スリット３１０，〜，３４０の幅も異なり、それらの組合せが複数形成されるので、１枚の吸音パネル１００，１００ａ，〜，１００ｃで、さらに吸音可能な周波数帯域を広くすることができる。したがって、吸音効果を高めることができる。
【００７６】
また、吸音パネル１００ａの空洞部２４０の体積は、ｚ方向に沿って変化し、スリット３３０の幅もｚ方向に沿って変化するので、吸音可能な周波数帯域をさらに広げることができる。
【００７７】
また、本体部１１０が、発泡樹脂からなる場合、吸音効果のみならず、断熱効果を得ることができ、比重が１．８以上となる混合樹脂からなる場合、遮音性能を高めることができる。
【００７８】
さらに、本発明にかかる吸音パネル１００，１００ａ，〜，１００ｃは、施工で壁、床、天井等として用いることにより、効果的な防音効果を奏することができる。
【００７９】
なお、部材５２０の代わりに、他の板、シート、壁紙等を用いてもよい。その結果、スリット３１０，〜，３４０を目立たせなくすることができる。特に室内にスリット３１０，〜，３４０を配置する場合、スリット３１０，〜，３４０を隠すことができる。
さらに、接着接合ではなく、ビス、くぎなど、接合方法は任意の手法をもちいてもよい。
なお、空洞部２１０，〜，２４０にグラスウール等に代表される多孔質材料などを埋めてもよい。さらに、吸音パネル１００，１００ａ，〜，１００ｃのスリットが存在しない側の面（−ｙの方向の面）に、断熱、遮音、制振、吸音等の効果を奏するパネルまたはシートを貼り合せてもよい。
【００８０】
本発明においては、ｚ方向が『長手方向』に相当し、吸音パネル１００，１００ａ，〜，１００ｃが『吸音パネル』に相当し、本体部１１０が『本体』に相当し、空洞部２１０，〜，２５０が『空洞部』に相当し、ｙ方向の面が『一面側』に相当し、スリット３１０，〜，３４０が『スリット』に相当し、空洞部２５０，〜，２９０が『複数の空間』に相当し、連通口４１０，〜，４４０が『連通スリット』に相当し、押出金型９２０からの押出工程が『押出工程』に相当し、吐出量変化用のコア移動部９３０からの工程が『コア移動工程』に相当し、図７の工程が『吸音パネルの製造方法』に相当する。
【００８１】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８２】
１００，１００ａ，〜，１００ｃ  吸音パネル
１１０  本体部
２１０，〜，２４０  空洞部
３１０，〜，３４０  スリット
５２０  部材
２５０，〜，２９０  空洞部
４１０，〜，４４０  連通口
９１０  材料投入部を含む押出成形機
９２０  押出金型
９３０  コア移動部
【図１】
2015169050.tif 000003
【図２】
2015169050.tif 000004
【図３】
2015169050.tif 000005
【図４】
2015169050.tif 000006
【図５】
2015169050.tif 000007
【図６】
2015169050.tif 000008
【図７】
2015169050.tif 000009